(57)【要約】【課題】  周囲に配設されている配線を流れる電流によって生じる磁界変化の影響（外乱の影響）を受け難いロゴスキーコイルを提供すること。【解決手段】  ロゴスキーコイル１０は、トロイダルコイル２０と、そのトロイダルコイル２０の芯内を伸びている巻戻し導線３０を備えている。トロイダルコイル２０は、トロイダル方向に沿って螺旋状に巻付けられている板状の巻付け導板２２を有している。その巻付け導板２２のトロイダル方向における幅が、外周面側で広く、内周面側で狭いことを特徴とする。【選択図】図２
2011040650.tif 000002
【特許請求の範囲】
【請求項１】
トロイダルコイルと、
そのトロイダルコイルの芯内を伸びている巻戻し導線と、を備えており、
前記トロイダルコイルは、トロイダル方向に沿って螺旋状に巻付けられている板状の巻付け導板を有しており、
その巻付け導板のトロイダル方向における幅が、外周面側で広く、内周面側で狭いことを特徴とするロゴスキーコイル。
【請求項２】
トロイダル方向に沿って隣接する巻付け導板間のギャップ幅は、巻付け導板のトロイダル方向における幅よりも狭いことを特徴とする請求項１に記載のロゴスキーコイル。
【請求項３】
トロイダル方向に沿って隣接する巻付け導板間のギャップ幅は、トロイダルコイルの全周に亘って一定であることを特徴とする請求項１又は２に記載のロゴスキーコイル。
【請求項４】
巻付け導板は、トロイダル方向及びポロイダル方向のいずれにおいても、曲面で構成されていることを特徴とする請求項１〜３のいずれか一項に記載のロゴスキーコイル。
【発明の詳細な説明】
【技術分野】
【０００１】
本発明は、ロゴスキーコイルに関する。
【背景技術】
【０００２】
配線を流れる電流を非接触で測定するために、多くの場面でロゴスキーコイルが用いられている。ロゴスキーコイルは、トロイダルコイルと、そのトロイダルコイルの芯内を伸びている巻戻し導線を備えている。ロゴスキーコイルを用いて電流測定を行う場合、測定対象の配線がトロイダルコイルで閉ざされた閉空間を通過するように配置される。ロゴスキーコイルは、配線を流れる電流によって生じる磁界変化を検出することにより、配線を流れる電流を非接触で測定することができる。
【０００３】
特許文献１には、従来のロゴスキーコイルの一例が開示されている。特許文献１のロゴスキーコイルは、コア（又は、ボビンともいう）と線状の巻付け導線で構成されるトロイダルコイルと、トロイダル方向に沿ってコア内を伸びている巻戻し導線を備えている。巻付け導線は、トロイダル方向に沿ってコア表面を螺旋状に巻付けられている。
【先行技術文献】
【特許文献】
【０００４】
【特許文献１】特開平３−９１２１４号公報
【発明の概要】
【発明が解決しようとする課題】
【０００５】
特許文献１のロゴスキーコイルでは、線状の巻付け導線が用いられている。このため、例えば、コア表面に凹凸が存在すると、その凹凸が巻付け導線の形態に反映し、巻付け導線のターンごとの断面積が変化する。例えば、凹部では巻付け導線の１ターンの断面積が小さくなり、凸部では巻付け導線の１ターンの断面積が大きくなる。特に、ロゴスキーコイルを小型化しようとすると、巻付け導線の巻数が減少するので、ターンごとの断面積のバラツキが顕在化してくる。このため、ロゴスキーコイルは、例えば、周囲に配設されている配線を流れる電流によって生じる磁界変化の影響（外乱の影響）を受け易くなり、測定精度が悪化してしまう。
【０００６】
本明細書で開示される技術は、外乱の影響を受け難いロゴスキーコイルを提供することを目的としている。
【課題を解決するための手段】
【０００７】
本明細書で開示される技術は、ロゴスキーコイルのトロイダルコイルが、板状の巻付け導板を用いて形成されていることを特徴としている。板状の巻付け導板を用いることにより、巻付け導板の表面に凹凸が形成されていたとしても、１ターンの断面積におけるその凹凸の影響は平準化され、ターンごとの断面積のバラツキが抑えられる。また、板状の巻付け導板を用いることにより、シールド効果によって外乱の影響を受け難くなる。このように、板状の巻付け導板を用いてトロイダルコイルが形成されていると、外乱の影響を受け難いロゴスキーコイルが実現される。
【０００８】
本明細書で開示されるロゴスキーコイルは、トロイダルコイルと、そのトロイダルコイルの芯内を伸びている巻戻し導線を備えている。トロイダルコイルは、トロイダル方向に沿って螺旋状に巻付けられている板状の巻付け導板を有している。巻付け導板のトロイダル方向における幅が、外周面側で広く、内周面側で狭いことを特徴としている。巻付け導板が上記のような形態を有していると、板状の巻付け導板が螺旋状の巻付けられたトロイダルコイルが形成される。
【０００９】
トロイダル方向に沿って隣接する巻付け導板間のギャップ幅が、巻付け導板のトロイダル方向における幅よりも狭いことが好ましい。このロゴスキーコイルでは、トロイダル方向に沿ってトロイダルコイルを観察すると、隣接する巻付け導板間のギャップよりも、巻付け導板の占める面積の方が大きくなる。すなわち、トロイダルコイルの全体形状に占める巻付け導板の面積が大きくなる。この形態のトロイダルコイルを有するロゴスキーコイルは、測定感度が高い。
【００１０】
トロイダル方向に沿って隣接する巻付け導板間のギャップ幅が、トロイダルコイルの全周に亘って一定であることが好ましい。このロゴスキーコイルでは、トロイダルコイルの形態が全周に亘って共通した形態になる。この形態のトロイダルコイルを有するロゴスキーコイルは、外乱の影響を受け難くい。
【００１１】
巻付け導板は、トロイダル方向及びポロイダル方向のいずれにおいても、曲面で構成されていることが好ましい。この形態のトロイダルコイルは、トーラス型（又は、ドーナッツ型という）の形態を有する。この形態を有するトロイダルコイルは、高感度で外乱の影響を受け難い。
【発明の効果】
【００１２】
本明細書で開示される技術によると、板状の巻付け導板を用いてトロイダルコイルを形成することにより、外乱の影響を受け難いロゴスキーコイルを提供することができる。
【図面の簡単な説明】
【００１３】
【図１】第１実施例のロゴスキーコイルの概念図を示す。
【図２】第１実施例のロゴスキーコイルの斜視図を示す。
【図３】第１実施例のロゴスキーコイルの内部構造を破線で示した斜視図を示す。
【図４】第１実施例のロゴスキーコイルの一部を切断した切断図を示す。
【図５】巻付け導板及び巻戻し導板の断面図を示す。
【図６】第１実施例の変形例のロゴスキーコイルの斜視図を示す。
【図７】第１実施例のロゴスキーコイルを設置する方法の一例を示す。
【図８】第１実施例のロゴスキーコイルを設置する方法の他の一例を示す。
【図９】第１実施例のロゴスキーコイルを設置する方法の他の一例を示す。
【図１０】第１実施例のロゴスキーコイルを製造する方法を示す。
【図１１】第２実施例のロゴスキーコイルの概念図を示す。
【図１２】第２実施例のロゴスキーコイルの斜視図を示す。
【図１３】第２実施例のロゴスキーコイルの内部構造を破線で示した斜視図を示す。
【図１４】第２実施例のロゴスキーコイルを設置する方法の一例を示す。
【発明を実施するための形態】
【００１４】
まず、本明細書で開示される技術を整理しておく。
（トロイダルコイル）
トロイダルコイルの平面形状は、実質的に一巡する環状であるのが望ましい。例えば、トロイダルコイルの平面形状は、円状、楕円状、又は多角形状であるのが望ましい。また、トロイダルコイルの平面形状は、必ずしも一巡する必要はなく、例えば、後述の第２実施例のように、一部に開閉点を備えていてもよい。トロイダルコイルの断面形状は、実質的に一巡する環状であればよく、特に限定されない。例えば、トロイダルコイルの断面形状は、円状、楕円状、多角形状であるのが望ましい。トロイダルコイルの全体形状は、上記平面形状と上記断面形状の様々な組合せによって構成されるが、好ましくは、平面形状が円状であるとともに断面形状も円状であるトーラス型（又は、ドーナッツ型ともいう）であるのが望ましい。また、トロイダルコイルは、コア（又は、ボビンともいう）を備えていてもよい。この場合、コアは、非磁性の材料であるのが望ましい。なお、本明細書で開示されるトロイダルコイルは、３次元積層造形法(ラピッドプロトタイピング法)を利用して製造することができる。したがって、本明細書で開示されるトロイダルコイルは、コアを使用しなくても製造することが可能である。本明細書で開示されるトロイダルコイルは、コアを有していない空芯の形態であるのが望ましい。
【００１５】
（巻付け導板）
巻付け導板は、導電性の材料を含む板状であるのが望ましい。本明細書でいう板状とは、断面形状における高さと幅が異なるものをいう。巻付け導板は、導電性の材料のみで構成されていてもよく、樹脂等の非磁性の本体表面に導電性の材料が被膜していてもよい。巻付け導板は、トロイダル方向に沿って螺旋状に巻付けられた形態を有しており、トロイダル方向における幅が外周面側よりも内周面側で狭く構成されているのが望ましい。また、巻付け導板は、トロイダル方向における最大幅が外周面側に存在し、トロイダル方向における最小値が内周面側に存在するのが望ましい。また、巻付け導板は、トロイダル方向における外周面側のいずれの幅も、内周面側のいずれの幅よりも広いのが望ましい。トロイダル方向に沿って隣接する巻付け導板間にはギャップが設けられている。このギャップは、トロイダル方向に沿ってトロイダルコイル内に螺旋状に現れるのが望ましい。
【００１６】
（巻戻し導線）
巻戻し導線は、導電性の材料を含む線状又は板状であるのが望ましい。巻戻し導線は、導電性の材料のみで構成されていてもよく、樹脂等の非磁性の本体表面に導電性の材料が被膜していてもよい。
【実施例１】
【００１７】
図１〜５を参照して、第１実施例のロゴスキーコイル１０を説明する。図１に、第１実施例のロゴスキーコイル１０の概念図を示す。図２に、第１実施例のロゴスキーコイル１０の斜視図を示す。図３に、第１実施例のロゴスキーコイル１０の内部構造を破線で示した斜視図を示す。図４に、ロゴスキーコイル１０の一部を切断した切断図を示す。
【００１８】
図１に示されるように、ロゴスキーコイル１０は、トロイダルコイル２０と、そのトロイダルコイル２０の芯内をトロイダル方向に沿って伸びている巻戻し導線３０と、トロイダルコイル２０の端部に設けられている第１端子４０と、巻戻し導線の端部に設けられている第２端子５０を備えている。
【００１９】
図２に示されるように、トロイダルコイル２０は、全体形状がトーラス型（又は、ドーナッツ型という）である。トロイダルコイル２０は、トロイダル方向（図２の左上参照）に沿って螺旋状に巻付けられている板状の巻付け導板２２を有している。巻付け導板２２は、巻付け開始点２４からトロイダル方向に沿って時計回りに螺旋状に巻付けられており、トロイダル方向に一巡して巻付け開始点２４にまで戻っている。巻付け導板２２の始端部２２ａと終端部２２ｂはポロイダル方向（図２の左上参照）に対向しており、始端部２２ａと終端部２２ｂの間のギャップ（切り口ともいう）がトロイダル方向に沿って伸びている。この形態によると、巻付け導板２２によって構成されるターンがトロイダルコイル２０を連続して一巡する。この例に代えて、図６に示されるように、巻付け導板２２の始端部２２ａと終端部２２ｂが鋭利な形態を有していてもよい。巻付け導板２２の始端部２２ａと終端部２２ｂの形態は、用途に応じて適宜に決めることができる。
【００２０】
巻付け導板２２のトロイダル方向の幅は、外周面側の幅２２Ｗａが内周面側の幅２２Ｗｂよりも広く構成されている。これにより、トロイダル方向に沿って螺旋状の巻回されたトロイダルコイル２０が形成されている。なお、この例では、外周面側の巻付け導板２２のいずれの幅２２Ｗａも、内周面側の巻付け導板２２のいずれの幅２２Ｗｂよりも広い。また、トロイダルコイル２０を平面視したときに、外周側の輪郭を構成する最外周における幅２２Ｗａが最大幅であり、内周側の輪郭を構成する最内周における幅２２Ｗｂが最小幅である。さらに、トロイダルコイル２０を正面視したときに、上側の輪郭を構成する最上面における幅と下側の輪郭を構成する最下面における幅が一致する。さらに、トロイダル方向に沿って隣接する巻付け導板２２間の幅２２Ｗｇが、巻付け導板２２のトロイダル方向の幅２２Ｗａ，２２Ｗｂよりも狭く構成されている。この形態によると、トロイダル方向に沿ってトロイダルコイル２０を観察すると、隣接する巻付け導板２２間のギャップよりも、巻付け導板２２の占める面積の方が多くなり、トロイダルコイル２０の全体形状に占める巻付け導板２２の面積が多くなる。また、トロイダル方向に沿って隣接する巻付け導板２２間の幅２２Ｗｇは、トロイダルコイル２０の全周に亘って一定である。この形態によると、トロイダルコイル２０の形態が全周に亘って均一化される。さらに、巻付け導板２２は、ドーナッツ型の形態を有しており、トロイダル方向及びポロイダル方向のいずれにおいても曲面で構成されている。
【００２１】
図３及び図４に示されるように、巻戻し導線３０は、トロイダル方向に沿ってトロイダルコイル２０の芯内を伸びている巻戻し導板３２を備えている。巻戻し導板３２は、巻戻し開始点２４からトロイダル方向に沿って反時計回りにトロイダルコイル２０の芯内を一巡して伸びており、巻戻し開始点２４にまで戻っている。巻戻し導線の始端部３２ａは、巻付け導板２２の終端部２２ｂに接続されている。第１端子４０は巻付け導板２２の始端部２２ａに設けられており、第２端子５０は巻戻し導板３２の終端部３２ｂに設けられている。第１端子４０と第２端子５０は、トロイダルコイル２０の外周面から側方に向けて突出している。第１端子４０と第２端子５０は、ポロイダル方向に沿って対向している。
【００２２】
図５に、巻付け導板２２及び巻戻し導板３２の断面図を示す。図５に示されるように、巻付け導板２２及び巻戻し導板３２は、樹脂で形成されている樹脂本体部２６，３６と、その樹脂本体部２６，３６を被覆する導体被膜２８，３８を備えている。後述するように、本実施例のロゴスキーコイル１０は、光造形技術及びメッキ技術を利用して製造されている。樹脂本体部２６，３６は光造形法を利用して形成されており、導体被膜２８，３８はメッキ技術を利用して樹脂本体部２６，３６の表面に被膜されている。
【００２３】
本実施例のロゴスキーコイルの特徴を整理する。
（１）本実施例のロゴスキーコイル１０では、トロイダルコイル２０が、板状の巻付け導板２２を用いて形成されている。板状の巻付け導板２２を用いることにより、仮に巻付け導板２２の表面に凹凸が形成されていたとしても、１ターンの断面積におけるその凹凸の影響は平準化され、ターンごとの断面積のバラツキが抑えられる。また、板状の巻付け導板２２を用いることにより、シールド効果によって外乱の影響を受け難くなる。このように、板状の巻付け導板２２を用いてトロイダルコイル２０が形成されていると、外乱の影響を受け難いロゴスキーコイル１０を形成することができる。この結果、本実施例のロゴスキーコイル１０は、小型化した場合でも高い測定精度を有することができる。特に、測定対象の配線の周囲に他の配線が設けられているような場合、本実施例のロゴスキーコイル１０は、他の配線からもたらされる外乱の影響を抑えながら、測定対象の配線を流れる電流を高精度に測定することができる。
（２）本実施例のロゴスキーコイル１０では、トロイダル方向に沿って隣接する巻付け導板２２間の幅２２Ｗｇが、巻付け導板２２のトロイダル方向の幅２２Ｗａ，２２Ｗｂよりも狭い。このため、トロイダルコイル２０の全体形状に占める巻付け導板２２の面積が多くなる。この形態のトロイダルコイル２０を有するロゴスキーコイル１０は、測定感度が高い。
（３）本実施例のロゴスキーコイル１０では、トロイダル方向に沿って隣接する巻付け導板２２間の幅２２Ｗｇが、トロイダルコイル２０の全周に亘って一定である。この形態によると、トロイダルコイル２０の形態が全周に亘って均一化され、外乱の影響を受け難くい。
（４）図２〜４に示されるロゴスキーコイル１０では、巻付け導板２２の始端部２２ａと終端部２２ｂの間のギャップがトロイダル方向に沿って伸びており、巻付け導板２２によって構成されるターンがトロイダルコイル２０を連続して一巡している。このため、第１端子４０と第２端子５０の近傍に測定対象外の配線が存在していても、その配線に起因する外乱の影響を受け難い。
【００２４】
次に、第１実施例のロゴスキーコイル１０を測定対象の配線に設置する例を例示する。図７に、３つの配線８２ａ，８２ｂ，８２ｃのうちの測定対象の配線８２ｂにロゴスキーコイル１０を設置する例を例示する。
【００２５】
図７（Ａ）に示されるように、巻付け導板２２の始端部２２ａと終端部２２ｂの間のギャップを利用して配線８２ｂを通過させる。次に、図７（Ｂ）に示されるように、ロゴスキーコイル１０を回転させる。次に、図７（Ｃ）に示されるように、巻戻し導板３２の始端部３２ａと終端部３２ｂの間のギャップを利用して配線８２ｂを通過させる。次に、図７（Ｄ）に示されるように、トロイダル方向に隣接する巻付け導板２２の内周面側のギャップを利用して配線８２ｂを通過させる。これにより、配線８２ｂは、ロゴスキーコイル１０を通過し、ロゴスキーコイル１０の閉空間内に配置される。上述したように、ロゴスキーコイル１０は、小型に構成することができるので、３つの配線８２ａ，８２ｂ，８２ｃが狭い範囲に配設されているような場合でも、そのうちの１つの配線８２ｂに対して容易に設置することができる。さらに、上述したように、ロゴスキーコイル１０は、周囲の配線８２ａ，８２ｃからもたらされる外乱の影響を抑えながら、配線８２ｂを流れる電流を高精度に測定することができる。
【００２６】
また、図８に示されるように、配線８４が巻付け導板２２の間のギャップを通過できない大きさである場合は、予め配線８４をロゴスキーコイル１０の閉空間内に通過させておいてもよい。
【００２７】
また、図９に示されるように、ボルト型治具６０を用いて測定対象の配線にロゴスキーコイル１０を配置させることもできる。図９に、ボルト型治具６０の一部を切断した分解切断図を示す。ボルト型治具６０は、正六角柱の頭部６２と、雄ねじが形成された軸部６４と、軸部６４の周囲を取囲むカバー部６６と、頭部６２の中央部から上部に向けて突出して設けられているとともに軸部６４に接続されている取出し配線部６８を備えている。ロゴスキーコイル１０は軸部６４とカバー部６６の間の空間に設けられており、ロゴスキーコイル１０の閉空間内を軸部６４が貫通している。
【００２８】
ボルト型治具６０は、外部装置（図示省略）の表面に設けられている穴に固定して用いられる。その穴の内壁には雌ねじが形成されており、ボトル型治具６０の軸部６４と噛み合うことで、ボトル型治具６０が外部装置に固定される。雌ねじが形成された穴の内壁は、外部装置の電流取出し端子として機能している。このため、ボルト型治具６０を前記穴に固定すると、ボルト型治具６０の軸部６４及び取出し配線部を介して外部に電流を取り出すことができる。さらに、ロゴスキーコイル１０がボルト型治具６０の軸部６４の周囲に配置されているので、その軸部６４を流れる電流を測定することができる。
【００２９】
（ロゴスキーコイルの製造方法）
図１０を参照し、ロゴスキーコイル１０の製造方法を説明する。ロゴスキーコイル１０は、図示しない光造形装置を利用して製造される。光造形装置は、例えば、光硬化樹脂としてアクリル系樹脂を利用し、レーザビームに紫外光を利用する。まず、ロゴスキーコイル１０の３次元形状データを光造形装置に入力する。光造形装置は、その３次元形状データからスライスデータを作成する。光造形装置は、そのスライスデータに基づいてレーザビームを走査し、図１０（Ａ）〜（Ｄ）に示されるように、樹脂硬化と積層ステップを繰返し、巻付け導体２２に対応した樹脂本体部２６と巻戻し導板３２に対応した樹脂本体部３６（図示せず）を作製する。
【００３０】
次に、メッキ技術を利用して、その樹脂本体部２６，３６の表面に、例えば銅（Ｃｕ
）からなる導体被膜２８，３８を被膜する。これらの工程を経て、ロゴスキーコイル１０が製造される。なお、金属から直接造形可能な粉末焼結法による造形技術を用いれば、金属のみでロゴスキーコイルを形成することもできる。
【実施例２】
【００３１】
図１１〜１３を参照して、第２実施例のロゴスキーコイル１００を説明する。以下の説明では、第１実施例のロゴスキーコイル１０との相違点のみを説明し、共通点に関しては説明を省略する。また、実質的に共通する構成要素に関しては、共通の符号を付す。
【００３２】
図１１に、第２実施例のロゴスキーコイル１００の概念図を示す。図１２に、第２実施例のロゴスキーコイル１００の斜視図を示す。図１３に、第２実施例のロゴスキーコイル１００の内部構造を破線で加えた斜視図を示す。
【００３３】
図１１に示されるように、ロゴスキーコイル１００は、トロイダルコイル２０と、そのトロイダルコイル２０の芯内をトロイダル方向に沿って伸びている巻戻し導線３０と、トロイダルコイル２０の一方の端部に設けられている第１端子４０と、トロイダルコイル２０の他方の端部に設けられている第２端子５０と、巻戻し導線３０の中間部に設けられている保持部７０を備えている。
【００３４】
図１３に示されるように、ロゴスキーコイル１００では、巻付け導板２２が、巻付け開始点２４からトロイダル方向に沿って時計回りに螺旋状に巻付けられており、半周した位置（以下、開閉点２５という）まで巻回されている。巻付け導板２２の第１中間端部２２ｃは、その開閉点２５で内部の巻戻し導板３２の始端部３２ｃに接続されている。巻戻し導板３２は、その開閉点２５からトロイダル方向に沿ってトロイダルコイルの芯内を反時計回りに一巡して伸びており、開閉点２５にまで戻っている。巻戻し導板３２の終端部３２ｄは、開閉点２５で巻付け導板２２の第２中間端部２２ｄに接続されている。巻付け導板２２の第１中間端部２２ｃと第２中間端部２２ｄは、離反している。巻付け導板２２は、開閉点２５からトロイダル方向に沿って時計回りに螺旋状に巻付けられており、巻付け開始点２４にまで戻っている。巻付け導板２２の始端部２２ａと終端部２２ｂはポロイダル方向に対向している。第１端子４０が巻付け導板２２の始端部２２ａに設けられており、第２端子５０が巻付け導板２２の終端部２２ｂに設けられており、両者はトロイダルコイル２０の外周面から側方に向けて突出している。第１端子４０と第２端子５０は、ポロイダル方向に沿って対向している。
【００３５】
保持部７０は、巻戻し導板３２の中央部に設けられており、第１端子４０と第２端子５０の間を通過してトロイダルコイル２０の外周面から側方に向けて突出している。保持部７０は、例えば、ロゴスキーコイル１００を保持具に固定する際に用いられる。また、保持部７０は、光造形時の支持体として用いることもできる。
【００３６】
次に、図１４を参照して、第２実施例のロゴスキーコイル１００を測定対象の配線に設置する例を例示する。
図１４（Ａ）及び（Ｂ）に示されるように、ロゴスキーコイル１００は開閉点２５を有しており、その開閉点２５においてロゴスキーコイル１００を分離させることができる。次に、図１４（Ｃ）に示されるように、ロゴスキーコイル１００を開閉点２５で分離させた状態で、測定対象の配線８６をロゴスキーコイル１００の閉空間内に配置させる。次に、図１４（Ｄ）に示されるように、ロゴスキーコイル１００の開閉点２５を閉じる。これにより、ロゴスキーコイル１００は、配線８６を流れる電流を測定する状態に設置される。
【００３７】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００３８】
１０，１００：ロゴスキーコイル
２０：トロイダルコイル
２２：巻付け導板
３０：巻戻し導線
３２：巻戻し導板
４０：第１端子
５０：第２端子
【図１】
2011040650.tif 000003
【図２】
2011040650.tif 000004
【図３】
2011040650.tif 000005
【図４】
2011040650.tif 000006
【図５】
2011040650.tif 000007
【図６】
2011040650.tif 000008
【図７】
2011040650.tif 000009
【図８】
2011040650.tif 000010
【図９】
2011040650.tif 000011
【図１０】
2011040650.tif 000012
【図１１】
2011040650.tif 000013
【図１２】
2011040650.tif 000014
【図１３】
2011040650.tif 000015
【図１４】
2011040650.tif 000016